(57)【要約】【課題】不法投棄を防止する機能を有する家庭用電気機器において、使用者がはじめて電気機器を使用する場合、使用者の登録がないと動作しないようにし、使用する前に電気機器へ使用者の情報を登録することで、使用者が不法投棄した場合でも、使用者がすぐ判明できるようにし、使用者に不法投棄の抑止を喚起し、不法投棄を防止する。【解決手段】情報を記憶し記憶した情報の取り出し要求に応じて記憶内容を提供する非接触ＩＣタグ１からの情報を読取手段２により受信し、制御手段５によりあらかじめプログラムされた情報に応じて機器の動作を制御し、使用者の情報を情報記憶手段３に登録し、読取手段２で読み取った情報が情報記憶手段３で登録した情報に対し所定の条件に合致するかどうかを照合手段４により照合する。制御手段５は、照合手段４での照合が所定の条件に合致していない場合、機器を動作させないよう構成する。【選択図】図１
2005267323.tif 000002
【特許請求の範囲】
【請求項１】
情報を記憶し記憶した情報の取り出し要求に応じて記憶内容を提供するＩＣタグからの情報を受信する読取手段と、あらかじめプログラムされた情報に応じて機器の動作を制御する制御手段と、使用者の情報を登録する情報記憶手段と、前記読取手段で読み取った情報が前記情報記憶手段で登録した情報に対し所定の条件に合致するかどうかを照合する照合手段とを備え、前記制御手段は、前記照合手段での照合が所定の条件に合致していない場合、機器を動作させないよう構成した家庭用電気機器。
【請求項２】
照合手段は、読取手段で読み取った情報が情報記憶手段で登録した使用者の情報と合致するかどうか照合するようにした請求項１記載の家庭用電気機器。
【請求項３】
ＩＣタグは、身分証明可能な情報を記憶し、読取手段は前記身分証明可能な情報を受信するようにした請求項１または２記載の家庭用電気機器。
【請求項４】
情報記憶手段は、使用者の氏名識別データあるいは住所識別データの少なくとも１つを記憶するようにした請求項１〜３のいずれか１項に記載の家庭用電気機器。
【請求項５】
読取手段は、無線通信により情報を受信するようにした請求項１〜４のいずれか１項に記載の家庭用電気機器。
【請求項６】
情報記憶手段は、情報の追加を可能とし情報の書き換えおよび情報の消去を容易にできないようにした請求項１〜５のいずれか１項に記載の家庭用電気機器。
【請求項７】
情報追加スイッチを備え、情報記憶手段は、前記情報追加スイッチが操作されたときに、読取手段から入力される身分証明可能な情報を受信し記憶情報に追加するようにした請求項６記載の家庭用電気機器。
【請求項８】
情報の書き出し手段を備え、情報記憶手段に記憶した使用者の情報を取り出すことが可能とした請求項１〜７のいずれか１項に記載の家庭用電気機器。
【請求項９】
音声動作をする音声案内手段を備え、情報記憶手段に記憶した使用者の情報を取り出すことが可能とした請求項１〜７のいずれか１項に記載の家庭用電気機器。
【請求項１０】
表示動作をする表示手段を備え、情報記憶手段に記憶した使用者の情報を表示するようにした請求項１〜７のいずれか１項に記載の家庭用電気機器。
【発明の詳細な説明】
【技術分野】
【０００１】
本発明は、不法投棄を防止する機能を有する家庭用電気機器に関するものである。
【背景技術】
【０００２】
従来、この種の不法投棄を防止するシステムとしては、図７に示すように、冷蔵庫４４、エアコン４６等のホーム・ネットワーク１４に接続されて用いられる家電製品により、自己の存在位置を示すための無線信号を送信し、コントローラ５０により、家電製品がホーム・ネットワーク１４に接続されている状態から接続されていない状態に変化したことが検知された場合に接続解除情報をサーバ２０に送信し、サーバ２０により、コントローラ５０によって送信された接続解除情報が受信され、かつ家電製品から送信されている無線信号によって示される当該家電製品の存在位置が建物外に位置する場合に当該家電製品が不法投棄されたものと判定するようにしている（例えば、特許文献１参照）。
【０００３】
すなわち、図７に示すように、不法投棄監視システム１０は、不法投棄監視システム１０を管理する管理センターが所有するサーバ２０と、リサイクルセンターが所有する端末装置６０と、が各々モデム、ルータ、ＴＡ（ＴｅｒｍｉｎａｉＡｄａｐｔｅｒ）等の接続装置７０を介してネットワーク１２に接続されると共に、各個人の自宅内において構築されたホーム・ネットワーク１４がネットワーク１２に接続されている。ホーム・ネットワーク１４は、各個人の住宅内に既設の電灯線１６を介して、ゲートウェイ・サーバー４０と、冷蔵庫４４、エアコン４６等の各種家電製品と、コントローラ５０とが接続されている。また、ゲートウェイ・サーバー４０はネットワーク１２に接続されており、サーバ２０、ゲートウェイ・サーバー４０、および端末装置６０は、ネットワーク１２を介して、相互通信により各種情報の授受が可能である。さらにネットワーク１２は、各国又は各地域の電話会社が構築・提供する公衆電話網１８がゲートウェイ・システム８０によって相互接続されるように構成されている。
【０００４】
また、従来ＩＣタグを用い、機器を制御するシステムとしては、図８に示すように、食品２１のパッケージ２２、容器に付された非接触式ＩＣタグ１１のＩＣメモリに記録された食品の内容物、保存条件に関する情報を冷蔵庫３１が読み取ることにより、食品を最適の条件で冷蔵することを特徴とし、他の実施形態では、非接触ＩＣタグ１１のＩＣメモリに記録された食品の内容物、消費期限、賞味期限に関する情報を冷蔵庫が読み取ることにより、消費期限や賞味期限が間近になった場合に警告を発するものもある（例えば、特許文献２参照）。
【０００５】
すなわち、図８に示すように、加工食品２１の食品パッケージ２２には、食品工場２から出荷される際に、パッケージ２２や容器に非接触ＩＣタグ１１が実装されている。非接触ＩＣタグ１１には、一般の加工食品に付されると同様に、商品アイテム（種類）や製造メーカーの表示、製造日や製造ロット等が記録されるほか、消費者３の家庭の冷蔵庫３１で、食品を保存する際に適する保存条件、消費期限や賞味期限、内容量等が記録される。消費者が購入した加工食品２１は冷蔵庫に保存され、冷蔵庫に設けられた非接触ＩＣタグ用リーダが、食品に付された非接触ＩＣタグ１１の情報の結果に基づいて、保存条件に適した冷蔵条件に調整するように構成されている。
【特許文献１】特開２００３−４４５７４号公報
【特許文献２】特開２００１−３１７８６２号公報
【発明の開示】
【発明が解決しようとする課題】
【０００６】
しかしながら、上記従来のいずれの構成も、簡易な手段で確実に不法投棄を防止する仕組みには直結せず、これら構成を組み合わせたとしても、不法投棄を防止する仕組みを形成できるものではなかった。また、電気機器に使用者の情報がなく、不法投棄された場合、電気機器の使用者が誰であったか判明できないという問題があった。すなわち、不法な投棄を発見することはできても、当該機器を誰が使用していたかの情報を機器に確実に記載する手段を備えたものでなく、使用者は、当該機器の所有に関する特定がされないがために、不法な投棄を故意に実行することへの抑止力が働かず、不法投棄を防止することができないというものであった。
【０００７】
本発明は上記従来の課題を解決するもので、使用者がはじめて電気機器を使用する場合、使用者の登録がないと動作しないようにし、使用する前に電気機器へ使用者の情報を登録することで、使用者が不法投棄した場合でも、使用者がすぐ判明できるようにし、使用者に不法投棄の抑止を喚起し、使用者が電気機器を容易に捨てることがないようにすることで、不法投棄を防止する電気機器を提供することを目的としている。
【課題を解決するための手段】
【０００８】
本発明は上記目的を達成するために、情報を記憶し記憶した情報の取り出し要求に応じて記憶内容を提供するＩＣタグからの情報を読取手段により受信し、制御手段によりあらかじめプログラムされた情報に応じて機器の動作を制御し、使用者の情報を情報記憶手段に登録し、読取手段で読み取った情報が情報記憶手段で登録した情報に対し所定の条件に合致するかどうかを照合手段により照合するよう構成し、制御手段は、照合手段での照合が所定の条件に合致していない場合、機器を動作させないよう構成したものである。
【０００９】
これにより、電気機器に使用者の情報の登録がない場合、機器を動作させないようにしているため、使用者が当該機器を使用する場合には必ず使用者の情報を機器に登録しなければならないようになり、不法投棄された場合でも、登録した使用者の情報が手がかりとなり、その電気機器の使用者が誰であったか判明することができるので使用者は安易な不法投棄ができず、不法投棄を防止する仕組みを容易に構築することができる。
【発明の効果】
【００１０】
本発明の家庭用電気機器は、使用者の情報を機器に登録することで、電気機器が容易に捨てられることがないようにでき、不法投棄を防止することができ、また不法投棄された場合でも、電気機器の使用者が誰であったか判明することができるので使用者は安易な不法投棄ができず、不法投棄を防止する仕組みを容易に構築することができる。
【発明を実施するための最良の形態】
【００１１】
第１の発明は、情報を記憶し記憶した情報の取り出し要求に応じて記憶内容を提供するＩＣタグからの情報を受信する読取手段と、あらかじめプログラムされた情報に応じて機器の動作を制御する制御手段と、使用者の情報を登録する情報記憶手段と、前記読取手段で読み取った情報が前記情報記憶手段で登録した情報に対し所定の条件に合致するかどうかを照合する照合手段とを備え、前記制御手段は、前記照合手段での照合が所定の条件に合致していない場合、機器を動作させないよう構成したものであり、電気機器に使用者の情報の登録がない場合、機器を動作させないようにしているため、使用者が当該機器を使用する場合には必ず使用者の情報を機器に登録することで、電気機器が容易に捨てられることがないようにでき、また不法投棄された場合でも、電気機器の使用者が誰であったか判明することができ、使用者は安易な不法投棄ができず不法投棄を防止する仕組みを容易に構築することができる。
【００１２】
第２の発明は、上記第１の発明において、照合手段は、読取手段で読み取った情報が情報記憶手段で登録した使用者の情報と合致するかどうか照合するようにしたものであり、読取手段で読み取った情報が情報記憶手段で登録した使用者の情報と合致した場合に、機器を動作するようにすることができ、使用者が当該機器を使用する場合には必ず使用者の情報を機器に登録しなければならず、不法投棄された場合でも、電気機器の使用者が誰であったか判明することができ、使用者は安易な不法投棄ができず不法投棄を防止する仕組みを容易に構築することができる。
【００１３】
第３の発明は、上記第１または第２の発明において、ＩＣタグは、身分証明可能な情報を記憶し、読取手段は前記身分証明可能な情報を受信するようにしたものであり、使用者の情報を多数の項目にすることで、照合手段がより正確に使用者の照合をすることができ、登録した使用者以外の使用者が当該機器を使用するという事態を防ぐことができ、信頼性の高い照合を行うことができる。
【００１４】
第４の発明は、上記第１〜３のいずれか１つの発明において、情報記憶手段は、使用者の氏名識別データあるいは住所識別データの少なくとも１つを記憶するようにしたものであり、照合手段が氏名識別データあるいは住所識別データに基づいて照合するため、使用者の情報が明確になり、使用者が不法投棄した場合でも、電気機器の使用者が誰であったか容易に判明することができ、使用者は安易な不法投棄ができず不法投棄を防止することができる。
【００１５】
第５の発明は、上記第１〜４のいずれか１つの発明において、読取手段は、無線通信により情報を受信するようにしたものであり、使用者が電気機器に近づいた場合に、読取手段が、ＩＣタグからの情報を受信するため、使用者がＩＣタグを電気機器にセットする必要がなくなり、使用者の手間を省くことができる。
【００１６】
第６の発明は、上記第１〜５のいずれか１つの発明において、情報記憶手段は、情報の追加を可能とし情報の書き換えおよび情報の消去を容易にできないようにしたものであり、情報の追加を行った場合に、情報記憶手段の情報の書き換えおよび情報の消去できないため、使用者の情報が追加になったり、使用者が変更になっても、変更前の情報が残っているため、容易に使用者の履歴が確認でき、電気機器の使用者が誰であったかより明確に判明することができる。
【００１７】
第７の発明は、上記第６の発明において、情報追加スイッチを備え、情報記憶手段は、前記情報追加スイッチが操作されたときに、読取手段から入力される身分証明可能な情報を受信し記憶情報に追加するようにしたものであり、使用者が記憶情報を追加したい場合に、使用者が情報追加スイッチを操作して、記憶情報を追加することができる。
【００１８】
第８の発明は、上記第１〜７のいずれか１つの発明において、情報の書き出し手段を備え、情報記憶手段に記憶した使用者の情報を取り出すことが可能としたものであり、情報記憶手段に登録した使用者の情報を書き出すことができるようにしたので、使用者が不法投棄した場合に、使用者の情報を書き出した情報を基に、電気機器の使用者が誰であったか容易に判明することができる。また、使用者が情報記憶手段に登録した情報が、情報の書き出し手段により書き出した情報と正しいかどうか照合することができる。
【００１９】
第９の発明は、上記第１〜７のいずれか１つの発明において、音声動作をする音声案内手段を備え、情報記憶手段に記憶した使用者の情報を取り出すことが可能としたものであり、情報記憶手段に登録した使用者の情報を音声に出すことができるようにしたので、使用者が不法投棄した場合に、使用者の情報を音声に出した情報を基に、電気機器の使用者が誰であったか容易に判明することができる。また、使用者が情報記憶手段に登録した情報が、音声案内手段により音声に出した情報と正しいかどうか照合することができる。
【００２０】
第１０の発明は、上記第１〜７のいずれか１つの発明において、表示動作をする表示手段を備え、情報記憶手段に記憶した使用者の情報を表示するようにしたものであり、情報記憶手段に登録した使用者の情報を表示することができるようにしたので、使用者が不法投棄した場合に、使用者の情報を表示した情報を基に、電気機器の使用者が誰であったか容易に判明することができる。また、使用者が情報記憶手段に登録した情報が、表示手段により表示された情報と正しいかどうか照合することができる。
【００２１】
以下、本発明の実施の形態について、図面を参照しながら説明する。なお、この実施の形態によって本発明が限定されるものではない。
【００２２】
（実施の形態１）
図２は本発明の実施の形態１における家庭用電気機器としての炊飯器の断面図を示すもので、図３は同炊飯器の表示および操作部を示す図である。
【００２３】
図２に示すように、炊飯器本体１０は、鍋１１を着脱自在に収納し、鍋１１はステンレス、鉄などの磁性体によって形成している。加熱コイル１２は、鍋１１の底面外側に配設されており、高周波電源から供給される高周波電流により交番磁界を発生し、この交番磁界で鍋１１を誘導加熱している。鍋温度センサ１３は鍋１１の温度を検知するもので、サーミスタで構成し、その抵抗値により温度を検知するものである。
【００２４】
制御基板１４は、鍋温度センサ１３の出力と、図３に示す炊飯スイッチ２０からの入力信号を入力し、加熱コイル１２に交番磁界を発生させるための高周波電流を供給する。また、制御基板１４は、高周波電源を有し、高周波電源と加熱コイル１２との間に設けたＩＧＢＴ等の半導体パワー素子のスイッチングにより、加熱コイル１２へ高周波電流を供給し、スイッチング周波数によって供給電力を制御できるよう構成している。
【００２５】
情報読み取り用リーダ１５は、図１に示す非接触ＩＣタグ（ＩＣタグ）１の読取手段２を構成するもので、炊飯器本体１０に組み込んでおり、非接触ＩＣタグ１のＩＣメモリに記録された情報を読み取る。非接触ＩＣタグ１は、予めアンテナとＩＣメモリーが一体化されたタグであり、保証書に貼られている。使用者が炊飯器の側で非接触ＩＣタグ１をかざすだけで、情報読み取り用リーダ１５が非接触ＩＣタグ１の情報を読み取るよう構成している。
【００２６】
図３に示すプリンター１６は、情報記憶手段３にある使用者の情報を紙に出力する。
【００２７】
つぎに、図１は、本発明の実施の形態１における炊飯器のブロック図を示すものである。
【００２８】
図１に示すように、情報記憶手段３は、使用者の情報を記憶するものであり、制御基板１４に搭載されたマイクロコンピュータ１７で構成している。照合手段４は、読取手段２で読み取った情報と情報記憶手段３で登録した情報に対し所定の条件に合致しているか判断するものであり、制御基板１４に搭載されたマイクロコンピュータ１７で構成している。
【００２９】
制御手段５は、照合手段４が読取手段２で読み取った情報と情報記憶手段３で登録した情報に対し所定の条件に合致していると判断すると、鍋１１へ所定の電力供給量となるようにインバータ回路１８に指示するように構成している。インバータ回路１８は、高周波電源で構成され、加熱コイル１２へ接続している。そして、商用電源１９からの電源電流を検知して、鍋１１への供給電力が制御手段５から指示された供給電力量となるように電源電流を制御するように構成している。
【００３０】
図３は、炊飯器の表示および操作部を示す図であり、表示および操作部２６には、炊飯スイッチ２０、表示スイッチ２１、音声案内スイッチ２２を配置している。また、炊飯中や使用者の情報を表示することができる表示手段８であるＬＣＤ２４を配置している。また、音声案内手段７は、スピーカ２３で構成し、炊飯スイッチ２０を受け付けたときや、音声案内スイッチ２２を受け付けたときに、音声で案内する場合に音声を出すように制御される。
【００３１】
さらに、情報追加スイッチ９を配置しており、使用者の操作により情報を追加するもので、マイクロコンピュータ１７に接続している。さらに使用者の情報を書き出すことができる情報書き出し手段６であるプリンター１６を配置し、紙に書き出すようにしている。
【００３２】
上記構成において図４を参照しながら動作、作用を説明する。
【００３３】
まず、情報記憶手段３への登録について述べる。情報記憶手段３に情報を登録する場合、使用者は炊飯器を購入し非接触ＩＣタグ１を炊飯器本体１に近づける。ステップ１にて情報追加スイッチ９が押されたかの判定を行い、押されたと判断した場合にはステップ２に進む。ステップ２で読取手段２である情報読み取り用リーダ１５が非接触ＩＣタグ１の情報を読み取る。
【００３４】
つぎに、ステップ３で情報記憶手段３に使用者の情報登録を行い、ステップ４に進む。ステップ４ではＬＣＤ２４に「情報登録終了」の表示を行い、スタートに戻る。この動作で、情報記憶手段３に使用者の情報が登録される。
【００３５】
つぎに、炊飯器の使用の動作について述べる。使用者が炊飯を行いたいと判断し、炊飯を行う米とその水量に対応する水を鍋１１に入れ、炊飯器本体１０の所定の状態に内装し、非接触ＩＣタグ１を炊飯器本体１０に近づけ、ステップ１にて情報追加スイッチ９が押されたかの判定を行い、押されていないと判断した場合にはステップ５に進む。ステップ５にて炊飯スイッチ２０が押されたかの判定を行い、押されたと判断した場合にはステップ６に進み、情報読み取り用リーダ１５が非接触ＩＣタグ１の情報を読み取る。
【００３６】
つぎにステップ７にて、ステップ６で読み取った使用者の情報と、情報記憶手段３で登録した情報の照合を行い、照合した結果が合致していると判断した場合にはステップ８に進む。ステップ８にてＬＣＤ２４に「炊飯開始」の表示を行い、ステップ９に進む。ステップ９にて、スピーカ２３で「炊飯開始」の音声案内を行う。
【００３７】
つぎに、ステップ１０において、制御手段５は鍋１１の温度を検知する鍋温度センサ１３によって、制御基板１４上に搭載されたマイクロコンピュータ１７にあらかじめ設定されている炊飯シーケンスに基づいて、インバータ回路１８が加熱コイル１２への電力供給を開始して鍋１１の加熱を開始し、鍋１１を誘導加熱する。鍋１１内部の水と米は、鍋１１の底から加熱され、お米が炊き上がり、制御手段５はインバータ回路１８が加熱コイル１２への電力供給を停止し、鍋１１の加熱を停止する。つぎに、ステップ１１に進み、ＬＣＤ２４に「炊飯終了」を表示し、ステップ１２にて、スピーカ２３で「炊飯終了」の音声案内を行う。
【００３８】
また、ステップ５にて炊飯スイッチ２０が押されたかの判定を行い、押されていない判断した場合にはスタートに戻る。さらに、ステップ７にて、ステップ６で読み取った使用者の情報と、情報記憶手段３で登録した情報の照合を行い、照合した結果が合致していないと判断した場合にはステップ１３に進み、ＬＣＤ２４に「炊飯終了」を表示させ、スタートに戻る。
【００３９】
以上のように、本実施の形態においては、情報を記憶し記憶した情報の取り出し要求に応じて記憶内容を提供する非接触ＩＣタグ１からの情報を受信する読取手段２と、あらかじめプログラムされた情報に応じて機器の動作を制御する制御手段５と、使用者の情報を記憶する情報記憶手段３と、読取手段２で読み取った情報が情報記憶手段３で登録した情報に対し所定の条件に合致するかどうかを照合する照合手段４とを備え、制御手段５は、照合手段４での照合が所定の条件に合致していない場合機器を動作させないようにしたので、電気機器に使用者の情報の登録がない場合、機器を動作させないようにしているため、使用者が当該機器を使用する場合には必ず使用者の情報を機器に登録することで、電気機器が容易に捨てられることがないようにでき、また不法投棄された場合でも、電気機器の使用者が誰であったか判明することができ、使用者は安易な不法投棄ができず不法投棄を防止する仕組みが容易に構築することができる。
【００４０】
また、照合手段４は、読取手段２で読み取った情報が情報記憶手段３で登録した使用者の情報と合致するかどうか判断するように構成したので、読取手段２で読み取った情報が情報記憶手段３で登録した使用者の情報と合致した場合に、機器を動作するようにすることができ、使用者が当該機器を使用する場合には必ず使用者の情報を機器に登録しなければならず、不法投棄された場合でも、電気機器の使用者が誰であったか判明することができ、使用者は安易な不法投棄ができず不法投棄を防止する仕組みを容易に構築することができる。
【００４１】
さらに、読取手段２は、無線通信により読み取りを行うように構成したので、使用者が電気機器に近づいた場合に、読取手段２が、非接触ＩＣタグ１からの情報を受信するため、使用者が非接触ＩＣタグ１を電気機器にセットする必要がなくなり、使用者の手間を省くことができる。
【００４２】
なお、本実施の形態では、炊飯スイッチ２０が押されるごとに、その都度情報読み取り用リーダ１５が非接触ＩＣタグ１の情報を読み取り、読み取った使用者の情報と、情報記憶手段３で登録した情報の照合を行い、照合した結果が合致していると判断した場合には「炊飯開始」を行うようにしているが、情報記憶手段３にはメーカーまたは販売店で購入者の情報を入れて、購入者は商品が届いた使用１回目のみ非接触ＩＣタグ１を用いて照合できるようにしてもよく、この場合には、動作をシンプルにすることができる。
【００４３】
（実施の形態２）
図１に示す非接触ＩＣタグ１は、身分証明可能な情報を記憶し、読取手段２は身分証明可能な情報を受信するようにしている。非接触ＩＣタグ１の身分証明可能な情報として、一般的には、住所、氏名、年齢、家族構成、電話番号、購入電気店、購入日等がある。また、情報記憶手段３は、使用者の氏名識別データあるいは住所識別データの少なくとも１つを記憶するようにしている。他の構成は上記実施の形態１と同じである。
【００４４】
上記構成において図５を参照しながら動作、作用を説明する。情報記憶手段３に情報を登録する場合、使用者は炊飯器を購入し非接触ＩＣタグ１を炊飯器本体１０に近づける。ステップ１４にて情報追加スイッチ９が押されたかの判定を行い、押されたと判断した場合にはステップ１５に進む。ステップ１５で読取手段２である情報読み取り用リーダ１５が非接触ＩＣタグ１の情報を読み取る。
【００４５】
つぎに、ステップ１６で、読取手段２は非接触ＩＣタグ１に使用者の氏名識別データあるいは住所識別データの少なくとも１つがあるか判定し、使用者の氏名識別データあるいは住所識別データがあると判断した場合にはステップ１７に進む。つぎにステップ１７で、情報記憶手段３に使用者の氏名識別データあるいは住所識別データの少なくとも１つ以上の情報登録を行い、ステップ１８に進む。ステップ１８ではＬＣＤ２４に「情報登録終了」の表示を行い、スタートに戻る。この動作で、情報記憶手段３に使用者の情報が登録される。
【００４６】
また、ステップ１６で、読取手段２は非接触ＩＣタグ１に使用者の氏名識別データあるいは住所識別データの少なくとも１つがあるか判定し、使用者の氏名識別データあるいは住所識別データがないと判断した場合にはステップ１９に進む。ステップ１９にてＬＣＤ２４に「情報登録エラー」の表示を行い、ステップ２０に進む。ステップ２０にて、スピーカ２３で「情報登録エラー」の音声案内を行う。
【００４７】
ステップ５からステップ１３の炊飯器の使用の動作については上記実施の形態１と同じであるので説明を省略する。
【００４８】
以上のように、本実施の形態においては、非接触ＩＣタグ１は、身分証明可能な情報を記憶し、読取手段２は前記身分証明可能な情報を受信するように構成したので、使用者の情報を多数の項目にすることで、照合手段４がより正確に使用者の照合をすることができ、登録した使用者以外の使用者が当該機器を使用するという事態を防ぐことができ、信頼性の高い照合を行うことができる。
【００４９】
また、情報記憶手段３は、使用者の氏名識別データあるいは住所識別データの少なくとも１つを記憶するように構成したので、照合手段４が氏名識別データあるいは住所識別データに基づいて照合するため、使用者の情報が明確になり、使用者が不法投棄した場合でも、電気機器の使用者が誰であったか容易に判明することができ、使用者は安易な不法投棄ができず不法投棄を防止することができる。
【００５０】
（実施の形態３）
図１に示す情報記憶手段３は、情報追加スイッチ９が操作されたときに、読取手段３から入力される身分証明可能な情報を受信し記憶情報に追加するようにし、新たな使用者が情報追加スイッチ９を押し、使用者の登録する場合は、情報記憶手段３に登録されている使用者の情報を、書き換えおよび情報の消去をせず、使用者の情報の追加をするようにしている。図６は本発明の実施の形態３における炊飯器の記憶領域のイメージ図である。他の構成は上記実施の形態１と同じである。
【００５１】
上記構成において動作、作用を説明する。まず、新たな使用者を登録する場合、情報記憶手段３への登録については上記実施の形態１と同様にして行うが、そのとき、図４のステップ３において、情報記憶手段３は、図６に示す、制御基板１４に搭載されたマイクロコンピュータ１７の記憶領域２７のイメージ図のように、書き換えおよび情報の消去をせず、使用者の情報の追加をするようにし、使用者の追加情報登録を行う。
【００５２】
以上のように、本実施の形態においては、情報記憶手段３は情報の追加を可能とし、情報の書き換えおよび情報の消去を容易にできないように構成したので、情報の追加を行った場合に、情報記憶手段３の情報の書き換えおよび情報の消去できないため、使用者の情報が追加になったり、使用者が変更になっても、変更前の情報が残っているため、容易に使用者の履歴が確認でき、電気機器の使用者が誰であったかより明確に判明することができる。
【００５３】
また、情報記憶手段３は、情報追加スイッチ９が操作されたときに、読取手段３から入力される身分証明可能な情報を受信し記憶情報に追加するようにしたので、使用者が記憶情報を追加したい場合に、使用者が情報追加スイッチ９を操作して、記憶情報を追加することができる。
【００５４】
（実施の形態４）
図１に示す制御手段５は、情報の書き出しスイッチ６が押されると、情報記憶手段３に記憶した使用者の登録情報を情報書き出し手段６であるプリンター１６により、紙に書き出すようにしている。他の構成は上記実施の形態１と同じである。
【００５５】
上記構成において動作、作用を説明する。制御手段５は、書き出しスイッチが押されると、使用者の登録情報を情報の書き出し手段６であるプリンター１６に信号を出力してプリンター１６は紙に出力する。
【００５６】
以上のように、本実施の形態においては、情報記憶手段３に記憶した使用者の情報を書き出したい場合に、情報を取り出す情報の書き出し手段６を備え、情報記憶手段３に登録した使用者の情報を書き出すことができるようにしたので、使用者が不法投棄した場合に、使用者の情報を書き出した情報を基に、電気機器の使用者が誰であったか容易に判明することができる。また、使用者が情報記憶手段３に登録した情報が、情報の書き出し手段により書き出した情報と正しいかどうか照合することができる。
【００５７】
（実施の形態５）
図１に示す制御手段５は、音声案内スイッチ２２が押されると、情報記憶手段３に記憶した使用者の登録情報を音声案内手段７であるスピーカ２３より、音声で案内するようにしている。他の構成は上記実施の形態１と同じである。
【００５８】
上記構成において動作、作用を説明する。制御手段５は、音声案内スイッチ２２が押されると、使用者の登録情報を音声案内手段７であるスピーカ２３に信号を出力して音声を出す。
【００５９】
以上のように、本実施の形態においては、情報記憶手段３に記憶した使用者の情報を音声で聞きたい場合に、情報を読み出す音声案内手段７を備えたものであり、情報記憶手段３に登録した使用者の情報を音声に出すことができるようにしたので、使用者が不法投棄した場合に、使用者の情報を音声に出した情報を基に、電気機器の使用者が誰であったか容易に判明することができる。また、使用者が情報記憶手段３に登録した情報が、音声案内手段７により音声に出した情報と正しいかどうか照合することができる。
【００６０】
（実施の形態６）
図１に示す制御手段５は、表示スイッチ２１が押されると、情報記憶手段３に記憶した使用者の登録情報を表示手段８であるＬＣＤ２４により表示するようにしている。他の構成は上記実施の形態１と同じである。
【００６１】
上記構成において動作、作用を説明する。制御手段５は、表示スイッチ２１が押されると、使用者の登録情報を表示手段８であるＬＣＤ２４に表示する信号を出力して表示する。
【００６２】
以上のように、本実施の形態においては、情報記憶手段３に記憶した使用者の情報を表示したい場合に、情報を表示する表示手段８を備え、情報記憶手段３に登録した使用者の情報を表示することができるようにしたので、使用者が不法投棄した場合に、使用者の情報を表示した情報を基に、電気機器の使用者が誰であったか容易に判明することができる。また、使用者が情報記憶手段３に登録した情報が、表示手段８により表示された情報と正しいかどうか照合することができる。
【００６３】
なお、本実施の形態では、表示手段８にＬＣＤ２４を用いたが、これは使用者に使用者の登録情報を聴覚的に知らせることができる構成であれば何でもよい。
【産業上の利用可能性】
【００６４】
以上のように、本発明にかかる家庭用電気機器は、使用者の情報を機器に登録することで、不法投棄を防止することができ、また不法投棄された場合でも、電気機器の使用者が誰であったか判明することができるので使用者は安易な不法投棄ができず、不法投棄を防止する仕組みを容易に構築することができるので、不法投棄を防止する機能を有する家庭用電気機器として有用である。
【図面の簡単な説明】
【００６５】
【図１】本発明の実施の形態１における家庭用電気機器としての炊飯器のブロック図
【図２】同炊飯器の断面図
【図３】同炊飯器の表示および操作部を示す図
【図４】同炊飯器のフローチャート
【図５】本発明の実施の形態２における家庭用電気機器としての炊飯器のフローチャート
【図６】本発明の実施の形態３における家庭用電気機器としての炊飯器の記憶領域のイメージ図
【図７】従来の不法投棄を防止するシステム図
【図８】従来のＩＣタグを用い機器を制御するシステム図
【符号の説明】
【００６６】
１  非接触ＩＣタグ（ＩＣタグ）
２  読取手段
３  情報記憶手段
４  照合手段
５  制御手段
【図１】
2005267323.tif 000003
【図２】
2005267323.tif 000004
【図３】
2005267323.tif 000005
【図４】
2005267323.tif 000006
【図５】
2005267323.tif 000007
【図６】
2005267323.tif 000008
【図７】
2005267323.tif 000009
【図８】
2005267323.tif 000010